(57)【要約】  本発明は、電力設備内での使用のため、及び、第１の外部導電性要素５における配置のための負荷設備に関する。負荷設備は、負荷２と、負荷２に電気的に接続された第１の電極３と、誘電層４と、負荷２、第１の電極３、及び誘電層４を担持する担体とを備える。負荷２、第１の電極３、及び誘電層４は、第１の外部導電性要素５において配置されるように構成される構造体を形成する。第１の電極３及び誘電層４は、海洋構造物の外表面を表す第１の外部導電性要素５と組み合わせて、第１の電極３と第１の外部要素５との間の電力の容量性伝送のためのコンデンサ６を形成するように配置される。担体は、第１の外部導電性要素５において配置されるように構成される。負荷２は、第１の電極３から電気的に絶縁された第２の電極７に接続されるか、又は第１の電極３から電気的に絶縁された第２の外部導電性要素１０、１１に電気的に接続されるように配置される。
2019508875.tif 000002
【特許請求の範囲】
【請求項１】
電力設備での使用のため、及び、第１の外部導電性要素における配置のための負荷設備であって、前記負荷設備は、
負荷と、前記負荷に電気的に接続された第１の電極と、誘電層と、前記負荷、前記第１の電極、及び前記誘電層を担持する担体とを備え、
前記負荷、前記第１の電極、及び前記誘電層が、前記第１の外部導電性要素において配置される構造体を形成し、
前記第１の電極及び前記誘電層が、海洋構造物の外表面を表す第１の外部導電性要素と組み合わせて、前記第１の電極と前記第１の外部要素との間の電力の容量性伝送のためのコンデンサを形成し、
前記担体が、前記第１の外部導電性要素において配置され、前記負荷が、前記第１の電極から電気的に絶縁された第２の電極に接続されるか、又は前記第１の電極から電気的に絶縁された第２の外部導電性要素に電気的に接続されている、負荷設備。
【請求項２】
前記担体は、可撓性材料からできている、請求項１に記載の負荷設備。
【請求項３】
前記担体は、前記担体の少なくとも１つの表面が接着剤で被覆されるシート形態である、請求項２に記載の負荷設備。
【請求項４】
前記接着剤で被覆された前記表面に取り外し可能に付着されるフィルムをさらに備える、請求項３に記載の負荷設備。
【請求項５】
前記担体のサイズ及び／又は形態は、適用の区域の形態及び／又はサイズに合わせて出来ている、請求項２に記載の負荷設備。
【請求項６】
前記接着剤で被覆された前記担体の表面の反対側の前記負荷設備の外表面及び／又は前記担体の表面が、特に、これら表面のうちの１つの表面上にディザリング表面又は光ガイドを受容するため、接着剤で被覆されている、請求項３に記載の負荷設備。
【請求項７】
前記担体は、前記負荷設備の据付けのための、特に据付け位置、据付け方向、及び／若しくは重複の可能性を示すための指標、並びに／又は前記担体をどこで切断すべきかを示す指標を含む、請求項２に記載の負荷設備。
【請求項８】
前記負荷に電気的に接続され、且つ、ＡＣ電力源に電気的に接続される第２の電極をさらに備える、請求項１に記載の負荷設備。
【請求項９】
前記第２の外部導電性要素及び前記負荷内に配置されるか又は付着される導電性電流誘導部材をさらに備える、請求項１に記載の負荷設備。
【請求項１０】
前記第２の外部導電性要素内に配置されるか又は付着されるＤＣ電力線をさらに備える、請求項１に記載の負荷設備。
【請求項１１】
ＡＣ電力源と、
請求項１乃至１０の何れか一項に記載の負荷設備とを備える、負荷に給電するための電力設備。
【請求項１２】
請求項１乃至１０の何れか一項に記載の負荷設備を備える、外表面を有する海洋構造物であって、前記負荷設備は前記外表面に付着されている、海洋構造物。
【請求項１３】
前記第１の外部導電性要素と、前記第２の電極又は前記第２の外部導電性要素との間にＡＣ電圧を供給するステップによって、請求項１乃至１０の何れか一項に記載の負荷設備を駆動する、方法。
【請求項１４】
請求項１乃至１０何れか一項に記載の負荷設備を、海洋構造物の外表面に据付けるための方法。
【請求項１５】
特に外表面の生物付着に対抗するために、海洋構造物の外表面への据付けのための、請求項１乃至１０に何れか一項に記載の負荷設備の使用。
【発明の詳細な説明】
【技術分野】
【０００１】
本発明は、電力設備内での使用のため、及び第１の外部導電性要素における配置のための負荷設備に関する。本発明は、そのような負荷設備の負荷に電力供給するための電力設備にさらに関する。
【背景技術】
【０００２】
ＷＯ２００９／１５３７１５Ａ２は、第１の共通電極、互いから電気的に絶縁された一組の電極パッドを形成する構造化した導電層、第１の共通電極層と構造化した導電層との間に挿入される誘電層、第２の共通電極、及び複数の発光要素を備える発光デバイスについて開示する。各発光要素は、電極パッド、誘電層、及び第１の共通電極のうちの１つを備えるコンデンサと直列に接続されるように、電極パッドのうちの１つと第２の共通電極との間に電気的に接続される。第１の共通電極と第２の共通電極との間に交流電圧が印加されると、発光要素は、容量結合を介して電力供給され、電流制限ももたらす。発光デバイスの動作中、１つの発光要素内での短絡故障は、同じコンデンサに接続された発光要素にのみ影響を与える。さらに、短絡電流は、このコンデンサによって制限される。
【０００３】
特定の用途シナリオにおいて、そのような発光デバイス、特に発光デバイス（又は、一般的には負荷）に電力供給する方式は、例えば共通電極層とＡＣ電圧源との間の電気接続に起因して、欠点を有する。そのような用途シナリオとしては、例えば、表面（例えば船体）の防汚を前記表面が液体環境（例えば海水）に少なくとも部分的に浸水されている状態で行うためのシステムが挙げられ、ここでは、船体の生物付着に対抗するために、船体の外表面に何らかの方式で取り付けられた光源によってＵＶ光が放射される。
【０００４】
ＷＯ２０１４／０６０９２１Ａ１は、ＡＣ電源に接続されると光を放射するように配置されたＬＥＤパッケージであって、第１のＬＥＤパッケージ端子及び第２のＬＥＤパッケージ端子を備え、少なくとも一対のダイオードがＬＥＤパッケージ端子間に逆並列に接続され、ダイオードのうちの少なくとも１つが発光ダイオードである、ＬＥＤパッケージについて開示する。第１のＬＥＤパッケージ端子は、第１の電源端子に取り外し可能に接続可能であり、第１の電源端子と一緒に第１の容量結合を形成するように適合され、第２のＬＥＤパッケージ端子は、第２の電源端子に取り外し可能に接続可能であり、第２の電源端子と一緒に第２の容量結合を形成するように適合される。温度依存の劣化に対して感受性が低い電気接続を提供することによって、ＬＥＤパッケージの寿命が増大される。
【発明の概要】
【発明が解決しようとする課題】
【０００５】
本発明の目的は、より困難な環境条件下で、性能がほとんど或いは全く低下することなく、且つ、例えば海水への露出などの環境影響への露出に起因する損傷を受けるリスクなしに、特定の用途シナリオにおいて使用され得る、改善された負荷設備及び負荷に電力を供給するための改善された電力設備を提供することである。
【課題を解決するための手段】
【０００６】
本発明の第１の態様において、負荷と、負荷に電気的に接続された第１の電極と、誘電層とを備え、負荷、第１の電極、及び誘電層が、第１の外部導電性要素において配置されるように構成される構造体を形成し、第１の電極及び誘電層が、海洋構造物の外表面を表す第１の外部導電性要素と組み合わせて、第１の電極と第１の外部要素との間の電力の容量性伝送のためのコンデンサを形成するように配置され、担体が、第１の外部導電性要素において配置されるように構成され、負荷が、第１の電極から電気的に絶縁された第２の電極に接続されるか、又は第１の電極から電気的に絶縁された第２の外部導電性要素に電気的に接続されるように配置される、負荷設備が提示される。
【０００７】
本発明のさらなる態様において、
ＡＣ電力源と、
本明細書に開示されるような負荷設備と、を備える電力設備が提示される。
【０００８】
本発明の依然としてさらなる態様において、本明細書に開示されるような負荷設備を含む外表面を有する船などの海洋構造物が提示され、ここでは負荷設備は前記外表面に付着される。
【０００９】
本発明の好ましい実施形態は、従属請求項内に規定される。特許請求された電力設備及び特許請求された海洋構造物は、特に従属請求項内に規定されるような、及び本明細書に開示されるような特許請求された負荷設備と同様及び／又は同一の好ましい実施形態を有するということを理解されたい。
【００１０】
本発明は、海という湿潤で導電性の厳しい周囲環境など、困難な環境における用途のための容量性電力伝達の使用を修正及び最適化するという考えに基づく。さらに、負荷設備の電気回路及び電力設備の電気回路は、例えば１つ又は複数の開放又は短絡接続を展開するＵＶ−Ｃ  ＬＥＤ（負荷として）など、中程度及び深刻な衝撃並びに様々な程度の表面切断損傷に対するロバスト性のために適合されている。これは、第１の電極と第１の外部要素との間の電力の容量性伝送のために第１の電極及び誘電層と一緒にコンデンサを形成する第１の外部導電性要素を利用することによって達成される。それにより、電力がＡＣ電力源によって提供され、ＡＣ電力源の第１のＡＣ端子は、第１の外部要素に電気的に接続され、電力設備が使用されているとき第１の外部要素において明確に規定された電位を提供する。
【００１１】
ＷＯ２００９／１５３７１５Ａ２に開示されている設備によると、剛性の担体が、例えばＬＥＤなどの電子部品を担持するために配備される。この担体の欠点は、それがある程度までしか曲げられないことであり、その上、そのような担体を船体の表面などの３次元曲面表面に適用することは困難となる。さらには、そのような担体はより大きな可撓性を得るために区分化されて構築される場合があるが、そのような担体の設置の自由は限られている。そのため、担体は、好ましくは、個別の副担体へと分割又は切断され、それにより共通の電源端子を途絶させる。対照的に、本開示によると、例えば担体上に置かれるステッカー様の設備が、水又は海水などの共通の液体導体の使用により、共通の電源端子を依然として確保しながら、ｉ）起伏表面に対処し、ｉｉ）（部分的に重複する）設置の完全な自由を可能にするために選択される。さらに、例えば安全性及びエネルギー効率のために、浸水された負荷のみが動作されることが望ましい。船体に沿った水位は、船の様々な航海速度、海での気象条件、及び船の荷物積載条件に自己適合するため、電子機器を制御する必要なしに共通の電源端子も即座に適合するということは明白である。
【００１２】
本発明によると、負荷、第１の電極、及び誘電層は、構造体を形成する。この構造体は、これらの要素からのみ形成されなくてもよく、追加の要素がこの構造体を形成するために提供されてもよいということを理解されたい。いくつかの実施形態において、これらの要素自体が、構造体を形成するように構成される（例えば、負荷及び第１の電極誘電層は、誘電層の誘電材料内に埋め込まれ、そうして構造体を形成する）。他の実施形態において、これら３つの要素と一緒に構造体を形成するために、１つ又は複数の追加の要素（例えば、担体、基板、粘着層など）が提供される。
【００１３】
一実施形態において、負荷設備は、負荷、第１の電極、及び誘電層を担持し、第１の外部導電性要素において配置されるように構成されている担体をさらに備える。これにより負荷設備の柔軟な使用及び取り扱いが可能になる。負荷、第１の電極、及び誘電層と一緒に、担体は、第１の外部導電性要素において配置されるように構成される構造体を形成する。一般的に、担体あり又はなしの負荷設備が存在する。
【００１４】
担体は、好ましくは、担体の少なくとも１つの表面が接着剤で被覆されるシート形態にある。したがって、担体は、例えば、接着剤の使用により他の存在物に容易に付着することができるステッカー、タイル、又は壁紙のように構成される。
【００１５】
負荷設備は、接着剤で被覆された表面に取り外し可能に付着されるフィルムをさらに備える。このようにして、接着剤は使用前には保護され、使用前になって初めてフィルムが取り外される。
【００１６】
担体のサイズ及び／又は形態は、好ましくは、適用の区域の形態及び／又はサイズに合わせられ、即ち、所望の使用シナリオに従って事前に製造され得る。例えば、ステッカーのように構成される場合、ステッカーのレイアウトは、予測される汚れのレイアウトに従って作成される。汚れの量は、関連区域の形状、関連区域の水中での深さ、モータまでの距離に基づく関連区域の温度などに基づいて船体の異なる区域では異なる。したがって、より多くの汚れが発生する区域と汚れがより少ない区域とが存在することになる。
【００１７】
したがって、ステッカーを浸水される区域に適用することが好ましい。さらに、一部の区域は、例えば異なる深さ及び船体に沿った水速に起因して、他の区域よりも汚れに対してより感受性が高い。故に、汚れの影響をより受けやすい区域は、例えばより高電力のＬＥＤ若しくは密度の高いステッカー配置など、より大きな洗浄力を提供するステッカーを担持するか、又はこれらの区域は、第１の外部導電性要素の異なる区域に合わせられる。
【００１８】
別の実施形態において、接着剤で被覆された担体の表面の反対側の負荷設備の外表面及び／又は担体の表面、即ち、負荷設備を別の存在物に取り付けるために使用されない表面が、特にこれらの表面のうちの１つの表面上にディザリング表面又は光ガイドを受容するため、接着剤で被覆される。例えば、担体の両方の表面が接着剤で被覆される。
【００１９】
異なる用途シナリオ、例えば曲面表面への負荷設備の取り付けを可能にするために、担体は、好ましくは、負荷設備が使用される環境に耐性もある（熱）可塑性材料などの可撓性材料からできている。使用される材料は、好ましくは、低電力散逸係数Ｄを有し、その目的のための誘電層、担体、及び接着剤が使用される。さらに、使用される材料は、（海）水、及び特に、外部に存在する導電性イオン（海水中の）を吸収しない。依然としてさらに、材料の少なくとも一部は、起伏が多い（即ち、衝撃に対して機械的に耐性がある）。この効果を達成するために、担体材料は、複数の（ハイブリッド）材料の積み重ね又は混合物からなり、各材料コンポーネントが上記の所望の要件のうちの１つ又は複数を少なくとも満たす。耐水材料内に浸された紙又は可撓性である必要のない鋳造バージョンなどのさらなる代替物が利用可能である。
【００２０】
別の実施形態において、担体は、負荷設備の据付けのための、特に据付け位置、据付け方向及び／又は重複の可能性を示すための指標を含む。これにより負荷設備の据付けがより容易になる。指標は、例えば、線又は矢印であるが、一般的に任意の他の指標であり得る。
【００２１】
加えて、又は、代替的に、担体は、どこで担体を切断すべきかを示す指標を含む。これは、担体を切断することによって損傷を受ける可能性のある担体上の電気的な線又は要素が置かれている区域を使用者が切断することを防ぐのに役立つ。
【００２２】
複数の担体、例えばステッカーは、ロール可能なフィルム上に配置されているため、使用者は、前記ロールから所望するだけ負荷設備を切り取ることができる。
【００２３】
負荷設備はまた、寸法に合わせて切断されるように構成されるか、又はそれに応じて事前に切断される。これにより、提案された負荷設備のより柔軟な使用が可能になる。
【００２４】
第１の外部要素は、水、特に海水、環境物、特に建築物又は乗物の一部分、及びインフラ物を含む導電性要素の群から選択される。例えば、第１の外部要素は船体であり、この船体に、複数の負荷設備（例えば、各々が１つ又は複数のＵＶ−ＬＥＤを備える）が、生物付着に対抗するために取り付けられる。したがって、船体は、有利には、第１のコンデンサの１つの電極として使用することができ、したがってＡＣ電力源の第１のＡＣ端子と負荷（１つ又は複数のＵＶ−ＬＥＤ）の第１の負荷端子との間にガルバニック接続を提供することを回避し、即ち、船体は、そのようなガルバニック接続を提供するために穿孔される必要がなく、それ故に、船体のより良好な建造及び少ない劣化をもたらす。
【００２５】
第２のＡＣ端子の接続には、異なる選択肢が存在する。１つの実施形態によると、電力設備は、第２の負荷端子及び第２のＡＣ端子に電気的に接続される第２の電極を備える。複数の負荷設備が、同じ第２の電極を共有するため、ＡＣ電力源の第２のＡＣ端子と第２の電極との間のガルバニック接続を最小限に制限することができる。
【００２６】
別の実施形態によると、第２のＡＣ端子及び第２の負荷端子は、第２の外部導電性要素に電気的に接続され、第２の外部導電性要素は、第１の外部要素から絶縁され、水、特に海水、環境物、特に建築物又は乗物の一部分、及びインフラ物を含む導電性要素の群から選択される。したがって、特定の用途において、状況によっては、既存の要素が、第２のコンデンサを形成するために使用されるか、又は、第２のＡＣ端子と第２の負荷端子との間の電力伝達のために自己容量の効果を使用する。
【００２７】
別の実施形態によると、負荷設備は、第２の外部要素及び負荷内に配置されるか、又はそれらに付着されるための導電性電流誘導部材をさらに備える。この電流誘導部材は、ＡＣ電力源、例えばその第２のＡＣ端子と、負荷、例えば第２の負荷端子との間の電流路をさらに支持する。電流誘導部材は、これらの要素間の電流を誘導するが、一般的には、ＡＣ電力源及び負荷とガルバニック接触はしていない。
【００２８】
さらに、電力設備は、第２の外部要素内に配置されるか、又はそれに付着されるためのＤＣ電力線を備える。好ましくは、それは、ＡＣ電力源、例えば第２のＡＣ端子に電気的に接続される。例えば、このＤＣ電力線は、例えば、自然腐食に対してカソード防食を提供するため、ＤＣ電流を海水内へ印加するために船によって使用されるような既存のＤＣ電力線である。
【００２９】
依然としてさらに、負荷、第１の電極、及び誘電層を収容するハウジングが提供される。したがって、これらの要素を含むハウジングが製造され、故障の場合に別個に交換することができ、且つそれぞれの用途によって必要とされる場合に任意に組み合わせることができるモジュラーユニット（又はタイル）が使用される。本明細書では、ハウジングは、例えば環境の影響に対して保護的な材料の別個のケース又はボックスにより表されるが、代替的には、負荷及び第１の電極を包含する誘電層の誘電材料によって表される。
【００３０】
別の実施形態において、負荷設備は、負荷の第２の負荷端子及びＡＣ電力源の第２のＡＣ端子に電気的に接続され、ハウジング内に収容される第２の電極をさらに備える。
【００３１】
特定の用途において、電力設備は、複数の負荷を備え、それらの第１の負荷端子が、共通の第１の電極又は別個の第１の電極に並列に結合され、それらの第２の負荷端子が、共通の第２の電極、別個の第２の電極、又は第２の外部要素に並列に結合される。このように、負荷を一緒に結合することには様々な選択肢が存在する。好ましくは、ＡＣ電力源と負荷との間の接続の数を低減するために、いくつかの負荷は共通のＡＣ電力源を共有する。
【００３２】
第１の外部要素が船体である場合に、生物付着に対抗することを目的とした実施における使用のため、負荷は、好ましくは、光源、特にＬＥＤ又はＵＶ−ＬＥＤ（例えばＵＶ−Ｃ  ＬＥＤ）を備える。
【００３３】
さらに、負荷は、ダイオードブリッジ回路を備え、光源が、ダイオードブリッジ回路の中間点の間に結合される。したがって、負荷は、例えば４つの低コストショットキーダイオードをＧｒａｅｔｚブリッジ（又はＧｒａｅｔｚ回路）として配備することによって複数のサブ負荷に細分されており、それによりローカルＤＣ電源（例えば１つ又は複数の光源のために働く）を提供すると見なされる。このローカルＤＣ電力源は、防汚用途における汚れ監視センサ又はコントローラＩＣなど、極性に敏感な他の電子機器、又はＤＣ電力を必要とする任意の他の電子回路を動作させるために使用することもできる。
【００３４】
別の実施形態において、負荷は、互いに逆並列に結合された第１のＬＥＤ及び第２のＬＥＤを備える。これにより、ＡＣ電力源（例えば発振器）を用いたＬＥＤの動作をさらに改善する。しかしながら、４つのショットキーダイオードと比較した１つのＵＶ−Ｃ  ＬＥＤのより高いコストに起因して、Ｇｒａｅｔｚブリッジは、全ＡＣサイクル中に電力を提供するにあたってよりコスト効率が高い。
【００３５】
１つの態様によると、本発明は、本明細書に開示されるような負荷設備を含む外表面を有する船、船舶、大型船などの海洋構造物を対象とし、ここでは負荷設備は前記外表面に付着される。海洋構造物は、負荷設備の負荷に電力供給するためのエネルギーを提供するためのエネルギー源を備える。前記エネルギー源は、発電機、エンジン、バッテリ、化学反応器（物質の例えば水との化学反応によってエネルギーを生成するため）、又は、負荷設備の負荷に電力供給するための十分な電気エネルギーを提供することができる一般的にあらゆる種類の供給源である。前記エネルギー源は、ＡＣ電力源に結合されるか、又はそれを備えるか、又はそれを表す。
【００３６】
さらなる態様において、本発明は、本明細書に開示されるような負荷設備を、海洋構造物の外表面、例えば船体に据付けるための方法に関する。
【００３７】
依然としてさらなる態様において、本発明は、特に外表面の生物付着に対抗するために、海洋構造物の外表面、例えば船体への据付けのための本明細書に開示されるような負荷設備の使用に関する。
【００３８】
本発明のこれらの態様及び他の態様は、これ以降に記載される実施形態から明らかになるものとし、それらを参照して説明されるものとする。
【図面の簡単な説明】
【００３９】
【図１】本発明に従う電力設備の第１の実施形態の模式図である。
【図２】防汚用途シナリオにおいた場合の電力設備の第１の実施形態の模式図である。
【図３】本発明に従う負荷設備の第１の実施形態の断面側面図である。
【図４】本発明に従う電力設備の第２の実施形態の模式図である。
【図５】防汚用途シナリオにおける電力設備の第２の実施形態の模式図である。
【図６】本発明に従う電力設備の第３の実施形態の模式図である。
【図７】防汚用途シナリオにおいた場合の電力設備の第３の実施形態の模式図である。
【図８】防汚用途シナリオにおいた場合の、本発明に従う電力設備の第４の実施形態の模式図である。
【図９】防汚用途シナリオにおいた場合の、本発明に従う電力設備の第５の実施形態の模式図である。
【図１０】本発明に従う電力設備の第６の実施形態の模式図である。
【図１１】防汚用途シナリオにおいた場合の電力設備の第６の実施形態の模式図である。
【図１２】局所的に切断されて区分化された第２の電極、及び損傷して区分化された第２の電極の図である。
【図１３】防汚用途シナリオにおける、本発明に従う電力設備の実用的な実装の側面図及び上面図である。
【図１４】防汚用途シナリオにおける、本発明に従う電力設備の別の実用的な実装の側面図である。
【図１５】ロール、タイル、又はストリップとして実行される、活性ＵＶ−Ｃ  ＬＥＤストリップと追加の不活性ＵＶ−Ｃ光ガイドとの組み合わせの例を示す図である。
【発明を実施するための形態】
【００４０】
以下において、本発明は、生物付着に対抗するために船体の外表面に取り付けられるＵＶ光源（特にＬＥＤ）の電力供給のために使用されるという用途シナリオに関して説明される。そのため、開示される主題の様々な実施形態の詳細を説明する前に、そのような用途シナリオにおいて生物付着に対抗するための一般的な考え方及び知られている手法について論じる。
【００４１】
ＷＯ２０１４／１８８３４７Ａ１は、表面の防汚を、前記表面が液体環境に少なくとも部分的に浸水されている間に行う方法について開示する。開示された方法は、防汚光を提供することと、シリコーン材料及び／又はＵＶグレード（溶融）シリカを含む光媒体を通して光の少なくとも一部を分布させることと、防汚光を光媒体から及び表面から放射することとを含む。そのような防汚ソリューションは、ミクロ生物及びマクロ生物の、例えば船体への（初期）定着を防ぐためのＵＶ−Ｃ照射に基づく。生物膜の問題は、生物の成長に起因して経時的にそれらの厚さが増大すると、その表面が粗面化することである。故に、抵抗が増大し、船の航海速度を維持するためにエンジンはより多くの燃料を消費することが必要となり、したがって運転コストが増大する。生物付着の別の影響は、パイプ放熱器の冷却能力の低下又は塩水吸入フィルタ及びパイプの流量低下であり得る。したがって、サービス及び保守コストが増大する。
【００４２】
船体の生物付着に対抗するための可能性のあるソリューションは、例えばＵＶ−Ｃ  ＬＥＤが埋め込まれているＵＶ−Ｃ透過材料のスラブで船体外部を被覆することである。これらのスラブ、又は一般的には任意の負荷若しくは負荷設備（即ち電気エネルギーを消費する要素又は設備）は、水線より下に位置する。これは、浸水した表面が大部分は生物付着に対して感受性が高く、故に抵抗の増大の原因となるためである。したがって、電力は、水線下で負荷に向けて伝送される必要がある。
【００４３】
電気、水、及び海洋産業の荒く厳しい環境の組み合わせは、真の難題を抱える。これは、（海）水が良好な導電体であり、故に短絡が容易に生じることが理由である。さらに、水は電流の影響下で分解する。海水の場合、それは、塩素及び水素ガス内のＤＣ電流下で分解する。ＡＣ電流下では、両ガスは、各電極で交互に形成される。形成されるガスのさらなる問題は、塩素が鋼製の船体のすでに自然発生している腐食を増進する可能性があり、密閉されない場合にはＵＶ−Ｃ  ＬＥＤを含む他の材料の劣化を加速させることである。一方で、水素ガスは、鉄の脆化を引き起こす可能性があり、次第に鉄バルク内に深刻な亀裂形成を導く。
【００４４】
鋼製の船体の自然腐食に対抗するために、大半の船は、不活性又は活性カソード式防食システムを被覆されるか、又は塗布され、加えて多くの場合それを備えるため、保護コート又は塗料が局所的に機能しなくなったとき、船体は自然腐食から保護されたままである。不活性システムは、経時的に電気化学的に溶解する亜鉛、アルミニウム、又は鉄の犠牲陽極を使用するが、活性システムは、チタン又はＰｔ／Ｔｉ（プラチナコーティングされたチタン）を被覆されたＭＭＯ−Ｔｉ（混合金属酸化物）製の陽極を使用するにあたってＤＣ電流を印加する。ＤＣ電流を海水内へ印加する活性システムの場合、あまりに大きすぎる電流は船体を増大した速度で局所的に溶解するため、注意深い監視が必要とされる。当然ながら、防汚ソリューションが、カソード防食システムを機能させなくしてはならない。故に、船の船体は接地端子として作用すべきであり、保護電流はＤＣでなければならず、海水は、電気回路を閉じる高導電性媒体として機能する。
【００４５】
さらに、船体は、例えば自然摩耗、浮木及び表面に近接し又はその付近にある他の浮遊物体との意図しない衝突に起因して、寿命にわたって（深刻に）損傷を受けるか、或いは、引き船又は隣接して結び付けられた船など、他の船との衝突に起因してより制御された衝撃に見舞われる。したがって、防汚負荷並びに電源線も寿命にわたって損傷される可能性が非常に高い。さらには、負荷及び電源線の両方が深刻に損傷され、さらには切断されて開放回路が導電性の海水によって濡らされるということが生じる。故に、外部に生じた損傷により望まない電気化学が発生する。これが理由で、ＤＣ電力源は、負荷に電力供給するための主要電力源として使用されるべきではない。
【００４６】
しかしながら、ＵＶ−Ｃ  ＬＥＤを動作させるためには、一般的にはＤＣ電流が好ましい。故に、防汚負荷内に、ＡＣ電力が供給されたときに局所的なＤＣ電流を生成することができる手段及び方法が必要とされる。より好ましくは、ＤＣ電流源は、（好ましくは接地端子として機能する）鋼製の船体から絶縁される。したがって、ＤＣ電力端子が露出されると電気化学が発生するが、この電気化学は露出の区域に限定される。さらに、電気化学の大きさは、局所的に及び露出された電極の表面積を流れることができるＤＣ電流の量に依存する。故に、ＤＣ電流をＵＶ−Ｃ  ＬＥＤによって必要とされる値近く（典型的には、小型ＬＥＤでは１／１０ミリアンペア）に制限し、露出されたローカルＤＣ電力端子の表面積に制限する必要がある。
【００４７】
故に、実際には、防汚ソリューションのかなりの面積が寿命にわたって損傷を受けることになる。理論上、損傷は、１つ若しくは複数の負荷内の１つ若しくは複数のＵＶ−Ｃ  ＬＥＤの局所損傷を含み得るか、又は負荷の大部分が消失することさえある。故に、一実施形態では、（継ぎ目のない）タイル状の負荷が提案される。損傷時に１つの欠陥ＬＥＤ（又は、一般的には負荷）により、タイルの機能的な残りの部分が非稼働になるようなことがあってはならないため、タイル内にはＵＶ−Ｃ  ＬＥＤの何らかの種類の細区分及び電力源が提供される。本明細書では、欠陥ＬＥＤは、開放又は短絡回路のいずれかをもたらし、ＵＶ−Ｃ  ＬＥＤはどちらかというと高価であるため、一続きのＬＥＤストリングは回避することが推奨される。
【００４８】
当然ながら、タイル状の負荷も依然として、有線又は無線のいずれかの何らかの種類の電力を必要とする。ワイヤの絡み付きによる予測される問題を考えると、海洋産業は荒く厳しいため、無線電力ソリューションが好ましく、本発明により提案される。しかし、海水及び鉄の船体の両方が良好な導電体であることにより、誘導システム並びに（ＲＦ）無線ソリューションにおける電力伝達損失はかなり大きくなり得る。それだけでなく、それらはむしろ大量になることがある。故に、電力を提供するための魅力的なソリューションは、ＡＣ容量結合を利用する。
【００４９】
従来の容量（無線）電力伝達システムは、ＡＣ発振器によって駆動される１つ又は２つの（長い）供給ワイヤを使用する。供給ワイヤが誘電フィルムで被覆されるとき、２つのピックアップ電極を有する受信要素を、ワイヤに沿ってどこにでも上に置くことができ、電力が伝達される。さらに、負荷に電力供給するための知られている電力設備において、伝達される電力は、リアクタンス制限される。このシステムは、周囲空気の十分な絶縁特性が理由で機能する。したがって、受信要素の２つの不活性接地電極間に高電圧電場を設けることができる。しかしながら、海水の場合のように、周囲環境が導電性になると、電力の伝達も、十分に導電性の周囲により２つのワイヤに沿ったどこでも促進されるようになる。故に、全くいかなる電力も意図した受信要素に向けて伝達することは非常に困難である。
【００５０】
本発明によると、容量性電力伝達の使用は、例えば、通常は水中にある、即ち湿潤で導電性の厳しい周囲環境にある船体の部分に取り付けられた光源に電力を伝達するための電力設備における用途のために修正又は最適化されている。さらに、電気回路は、例えば１つ又は複数の開放又は短絡接続を展開するＵＶ−Ｃ  ＬＥＤなど、中程度及び深刻な衝撃並びに様々な程度の表面切断損傷に対するロバスト性のために適合されている。
【００５１】
図１は、負荷２に電力供給するための本発明に従う電力設備１００の第１の実施形態の模式図を示す。電力設備１００は、本発明に従う負荷設備３００の第１の実施形態を含む。負荷設備３００は、第１の負荷端子２ａ及び第２の負荷端子２ｂを有する負荷２、負荷２に電気的に接続された第１の電極３（以後、活性電極とも呼ばれる）、並びに誘電層４を備える。負荷２、第１の電極３、及び誘電層４は、第１の外部導電性要素５において配置されるように構成される構造体を形成する。さらに、第１の電極３及び誘電層４は、第１の外部導電性要素５と組み合わせて、第１の電極３と第１の外部要素５との間の電力の容量性伝送のためのコンデンサ６を形成するように配置される。負荷２は、第１の電極３から電気的に絶縁された第２の電極７にさらに接続される。
【００５２】
これに関連して、負荷２、第１の電極３、及び誘電層４は、好ましくは構造体を形成するということに留意されたい。この構造体は、これらの要素からのみ形成されなくてもよく、追加の要素がこの構造体を形成するために提供されてもよいということを理解されたい。いくつかの実施形態において、これらの要素自体が、構造体を形成するように構成される（例えば、負荷及び第１の電極誘電層は、誘電層の誘電材料内に埋め込まれ、そうして構造体を形成する）。他の実施形態において、これら３つの要素と一緒に構造体を形成するために、１つ又は複数の追加の要素（例えば、担体、基板、粘着層など）が提供される。
【００５３】
電力設備１００は、第１のＡＣ端子１ａ及び第２のＡＣ端子１ｂを有するＡＣ電力源１（例えば発振器）をさらに備える。第１のＡＣ端子１ａは、第１の外部要素５に電気的に接続されるように配置され、即ち、取り付け後及び使用中、第１のＡＣ端子１ａ及び第１の外部要素５は電気的に接続されている。第２のＡＣ端子２ｂ及び第２の負荷端子１ｂは、第２の電極７（以後、不活性電極とも呼ばれる）に電気的に接続される。故に、コンデンサ６を介してＡＣ電力源１から負荷へ電力を伝送することができる。乗物の船体など、第１の外部要素５、環境又はインフラにおいて利用可能な要素が使用される場合、導電性の床材及び壁材、建築物の部分などが使用される。
【００５４】
図２は、防汚用途シナリオにおける電力設備２００及び負荷設備４００の第１の実施形態の模式図を示す。この実施形態では、負荷２０はＵＶ−Ｃ  ＬＥＤであり、第１の外部要素５０は船体であり、この船体は、（少なくとも部分的に）導電性である（即ち、船体全体、内表面のみ、外表面のみ、又は船体の特定の区域のみが、導電性であるか、導電材料、例えば金属でできているように構成される）。ＡＣ電力源１は、一般的には、船の舷上に配置される。第１のＡＣ端子１ａは、船体５０の導電表面に接触し、第２のＡＣ端子１ｂは、船体５０を通る接続ワイヤ１ｃによって第２の電極７と接続される。ＬＥＤ２０、誘電層４、及び第１の電極３（任意選択的に、第２の電極７も）は、好ましくは、第１の外部導電性要素（５、５０）において配置される担体８０によって担持される。
【００５５】
負荷設備４００は、電子部品が水１０（特に海水）から保護されるように構成される。そのような負荷設備のうちのいくつかを、ＡＣ電力源１に並列に結合することができ、即ち、複数の負荷設備の第２の電極（別個の電極又は共通の大きな第２の電極である）を、同じＡＣ電力源１及び同じ接続ワイヤ１ｃに結合することができる。このやり方では、ＡＣ電力源及び接続ワイヤの数は、負荷設備の数が大きい場合にも小さく保つことができる。
【００５６】
図３は、負荷設備４００の実施形態の断面側面図を示す。担体８０は、例えば、それが使用される環境に対して耐性のある（好ましくは上記要件を満たす）材料でできている薄板、シート、又は基板である。好ましくは、担体８０は、異なる要素５に、例えば船体のような曲面表面にそれを配置することができるように可撓性である。誘電層４は、担体８０の上に提供され、負荷２は、誘電層４内に埋め込まれる。さらに、第１の電極３は、誘電層４に埋め込まれて提供される。電気負荷端子２ｂは、誘電層４に埋め込むこと、誘電層４の上に置くこと、又は誘電層４から突き出ることさえ可能である。第２の電極７は、誘電層４の上に提供される。
【００５７】
第１の外部導電性要素５、例えば船体５０において配置される設備を可能にするため、単純な様式では、接着剤９０が担体８０の１つの表面８１上に提供される。接着剤９０はさらに、要素５への担体８０の付与前に接着剤８１の保護として取り外し可能なフィルム９１を被覆される。
【００５８】
固着のために化学塩基を有する接着剤の代わりに、熱溶解（熱可塑性材料、冷たいときは剛性で、例えば蒸気により加熱されると、短い期間にわたって局所的に流体となり接続を確実にする）、機械的固定（結合中に係合する２つの材料のマイクロフック）、又はこれらの組み合わせを使用することができる。
【００５９】
さらに、担体８０のサイズ及び／又は形態は、適用区域の形態及び／又はサイズに合わせて作られる。例えば、負荷設備は、要素５の形態及び／又はサイズに合うように設計されるある種のタイル若しくはステッカーとして構成されるか、又はそのようなステッカー若しくはタイルのうちのいくつかが組み合わされて（互いに隣接して置かれて）、簡単な様式で要素５の所望の区域を被覆することができるように構成される。
【００６０】
好ましくは、接着剤で被覆された担体の表面８１の反対側の負荷設備の外表面９２及び／又は担体８０の表面８２は、特にこれら表面のうちの１つの表面上でディザリング表面又は光ガイドを受容するため、接着剤９３で被覆される。
【００６１】
担体８０は、負荷設備の据付けのための、特に据付け位置、据付け方向及び／又は重複の可能性を示すための指標９４をさらに含む。そのような指標は単純に、点線、又は切目線、又は要素５に担体をどのようにして及びどこに適用するかを示す任意の図形である。
【００６２】
複数の負荷設備がロールとして提供され、それにより、単一の負荷設備を前記ロールから取り出し、所望の通りに適用することができるか、又は負荷設備の全配列を使用し、同時に適用することができる。
【００６３】
図４は、本発明に従う負荷設備３０１の第２の実施形態を含む電力設備１０１の第２の実施形態の模式図を示し、図５は、防汚用途シナリオにおける負荷設備４０１の第２の実施形態を含む電力設備２０１の前記第２の実施形態の模式図を示す。第１の実施形態とは異なり、第２の実施形態は、第２の電極を利用しないが、第２のＡＣ端子１ｂ及び第２の負荷端子２ｂは、第１の外部要素５から絶縁された第２の外部導電性要素１１に、特にワイヤ１ｄ及び２ｄによって電気的に接続される。図５に描写された用途シナリオにおいて、第２の外部要素１１は、好ましくは、水１０、特に海水であり、それを通る電流路が、第２のＡＣ端子１ｂと第２の負荷端子２ｂとの間で閉じられ、これは第１の実施形態のように追加のワイヤ電極７が必要とされないという長所を有する。ワイヤ１ｄ及び２ｄが、水１０内へ誘導される必要があるだけである。負荷設備３０１／４０１は、好ましくは、モジュラー方式で構成される。第１の実施形態にあるように、負荷設備３０１／４０１は、好ましくは、担体を備える（図４及び図５には示されない）。電流が配線の代わりに水により伝送されるため、据付けは簡単になり、コスト低減、及び柔軟性がもたらされる。さらに、モジュール方式は設置の自由も可能にする。
【００６４】
図６は、本発明に従う負荷設備３０２の第３の実施形態を含む電力設備１０２の第３の実施形態の模式図を示し、図７は、防汚用途シナリオにおける負荷設備４０２の第３の実施形態を含む電力設備２０２の第３の実施形態の模式図を示す。第２の実施形態と比較して、第３の実施形態は、第２の外部要素１１内に、及び第２のＡＣ端子１ｂと第２の負荷端子２ｂとの間にそれらとガルバニック接触を有することなく配置されるか又はそれに付着される導電性電流誘導部材１２を追加で備える。この電流誘導部材１２は、例えば、第２のＡＣ端子１ｂと第２の負荷端子２ｂとの間の電流路のインピーダンスを下げるために水１０中に配置された追加の電極（例えばプレート又はワイヤ）である。ここでも、負荷設備３０２は、好ましくは、モジュラー方式で構成される。誘導部材１２はまた、ワイヤ又はループの形態でモジュラーステッカーアセンブリの上に位置するか、又はそれは、ワイヤ２ｄの延長であってもよい。したがって、隣接するループ間の距離は、局所的な海水ブリッジ（誘導部材及び海水ブリッジの交互のチェーン）によって作られる。
【００６５】
さらに、ワイヤ１ｄには、（多くの場合は既に存在する）ＤＣ電力線が使用される。そのようなＤＣ電力線は、一般的には、第２の外部要素内に配置されるか、又はそれに付着され、即ち、船体の自然腐食を軽減又は回避するために、水中へ誘導される。したがって、このＤＣ電力線１ｄは、再使用され、ＤＣ電流に加えてＡＣ電流を印加するために第２のＡＣ端子１ｂに電気的に接続される。これにより、追加のワイヤの必要性及び船体を貫通する追加の穴の必要性を回避する。
【００６６】
図８は、防汚用途シナリオにおける、本発明に従う負荷設備４０３の第４の実施形態を含む電力設備２０３の第４の実施形態の模式図を示す。第１の実施形態と比較して、負荷２は、第１の電極３と第２の電極７との間に結合された、２つの逆並列結合されたＬＥＤ２０ａ、２０ｂを備える。これにより、それらはＡＣ電流波のそれぞれの半周期において交互に光を放射することになる。
【００６７】
図９は、防汚用途シナリオにおける、本発明に従う負荷設備４０４の第４の実施形態を含む電力設備２０４の第５の実施形態の模式図を示す。この実施形態では、負荷２は、４つのショットキーダイオードのダイオードブリッジ２３（Ｇｒａｅｔｚブリッジ又はＧｒａｅｔｚ回路とも呼ばれる）、及びダイオードブリッジの中間点２３ａ、２３ｂの間に結合されたＬＥＤ２４を備える。ダイオードブリッジ２３は、ＬＥＤ２４がＡＣ電流の両半周期において照光しているように、結合されたＡＣ電流を整流するための整流器として機能する。
【００６８】
図１０は、本発明に従う複数の負荷設備３０５ａ、３０５ｂ、３０５ｃを含む電力設備１０５の第６の実施形態の模式図を示し、図１１は、複数の負荷設備４０５ａ、４０５ｂ、４０５ｃを含む防汚用途シナリオにおける電力設備２０５の第６の実施形態の模式図を示す。したがって、負荷２は、複数の負荷２５ａ、２５ｂ、２５ｃ（サブ負荷とも呼ばれる）を備え、それらの第１の負荷端子が、共通の第１の電極（図示されない）又は別個の第１の電極３ａ、３ｂ、３ｃに並列に結合され、それらの第２の負荷端子が、共通の第２の電極７（図１１に示されるような）、別個の第２の電極７ａ、７ｂ、７ｃ（即ち図１０に示されるような区分化された第２の電極）、又は第２の外部要素（図示されない）に並列に結合される。それにより負荷２５ａ、２５ｂ、２５ｃの各々が、図１から図９のいずれか１つに示されるように構成される。
【００６９】
従来のソリューションとは異なり、負荷２５ａ、２５ｂ、２５ｃは、ＡＣ電力源１と直接的に並列に接続され、ＡＣ電力源１と負荷２との間に２つの活性伝達電極を使用するのではなく不活性接地電極（即ち、第２の電極７又は７ａ、７ｂ、７ｃ）によって終端される。また、この構成では、局所電流は、不活性電極の表面積によってリアクタンス制限され、故に、例えば短絡（ＬＥＤ）を通って流れることができる局所ＤＣ電流である。
【００７０】
低抵抗率電極の場合、実効電流Ｉは、Ｉｓｕｂｌｏａｄ＝Ｕｏｓｃｉｌｌａｔｏｒ＊２＊π＊ｆ＊Ｃによって説明され、ここで、Ｕは実効（発振器）電圧であり、ｆは駆動周波数である。局所容量Ｃの値は、区分化された不活性電極３（又は３ａ、３ｂ、３ｃ）の局所的な区域、電極３（又は３ａ、３ｂ、３ｃ）と共通電極５との間における誘電層４（又は４ａ、４ｂ、４ｃ）の局所的な厚さ、及びその誘電率に依存する。電流Ｉが印加される駆動電圧Ｕに依存するため、電力Ｐ送電能力は、電力設備が非常に効率的であったとしてもリアクタンス制限され、Ｐｅｆｆ＝Ｕｅｆｆ＊Ｉｅｆｆによって得られる。したがって、大量の電力を伝達するためには、高電圧及び／又は大容量が必要とされる。安全性のため、大容量が好ましいことは明白である。船体は大きな表面積を提供し、ＵＶ−Ｃ  ＬＥＤは低電力であるため、これを所望の用途シナリオに従って使用することができる。故に、ＬＥＤ電力の観点からも、単一の（ＡＣ）電源線によって供給される複数のローカル（ＤＣ）電力源を配備することが有益である。
【００７１】
有益に、誘電材料は、ＵＶ−Ｃ透過性で水及び塩不浸透性の筺体内にＬＥＤを埋め込むために使用され得、即ち、すべての要素は、ハウジング内に収容され、加えて、又は代替的に、誘電層４に使用されるものと同じ材料である誘電材料に埋め込むことができる。十分にＵＶ−Ｃ透過性である好適な埋め込み材料はシリコーンである。加えて、局所的な活性電極（第２の電極７）の面積及び局所的な誘電材料の厚さが設計パラメータであるため、異なる電流及び／又は電圧レベルを要するＬＥＤ及び他の電子機器さえも依然として、１つの同じ発振器に接続することができる。有益に、単一の駆動線の使用は、任意のワイヤが任意の他のワイヤに接続されることを可能にするため、ワイヤの絡み付きの問題を低減する。これにより、特に海洋産業において、据付けが容易になる。
【００７２】
より高い駆動周波数を配備するにあたって不活性電極の面積を最小限にすることができ、それにより脆弱な電子機器の面積／ボリュームを潜在的に制限するということを上で得られた式から推定することができる。しかしながら、大きな実効サブ負荷電流（即ち、例えば図１０及び図１１に示されるように複数の負荷２５ａ、２５ｂ、２５ｃのうちの１つを通る電流）が流れるには、不活性電極の表面積は、依然としてある特定のサイズを有することになる。幸いにも、この面積が損傷時に切断部になったとしても、切断部がその表面積をほとんど低減しないことから問題にはならない。これは、電力設備の実施形態に使用されるような局所的に切断されて区分化された第２の電極７ｂの図を示す図１２Ａに例証され、ここでは切断部７０は、実効不活性電極面積にほとんど何の影響も与えない。
【００７３】
損傷して区分化された第２の電極７ｂ、７ｃの図を示す図１２Ｂに例証されるように、不活性電極の表面積が減少される場合にのみ、サブ負荷２５ｂ、２５ｃ内のＬＥＤのＬＥＤ出力が減少し、それは望ましくないことである。故に、大幅に損傷した不活性電極面積の場合、この面積は著しく影響を受ける。負荷共有抵抗器を配備するにあたって、面積損失の部分は、どれくらいの数及びどの程度まで（機能的、開放、又は短絡）近隣部が受けた面積損失を補うことができるかというＲの値により、最も近い近隣部によって補うことができる。
【００７４】
不活性電極損傷に耐えるため、負荷共有抵抗器２６ａ、２６ｂが、図１２Ｂにも例証されるように、１つ又は複数の隣接する不活性副電極７ａ、７ｂ、７ｃを並列に接続して配備される。負荷共有抵抗器２６ａ、２６ｂの１つの利点は、未損傷の場合に、隣接する副電極７ａ、７ｂ、７ｃ間の著しい差異が存在しないことであり、故に、負荷共有抵抗器２６ａ、２６ｂにおいて電力散逸がほとんどない。損傷があったとき、損傷したＬＥＤ電流の部分は、近隣の副電極７ａ、７ｂ、７ｃによって搬送され得る。どれくらいの共有が可能であるかは、負荷共有抵抗器２６ａ、２６ｂの値に依存する。負荷共有抵抗器２６ａ、２６ｂの値が低い場合、不活性電極面積のかなりの割合が消失されることが許される。しかしながら近隣部のうちの１つ又は複数もまた短絡を展開する場合、あまりに大きい短絡電流が流れ得る。負荷共有抵抗器２６ａ、２６ｂの値が大きすぎると、可能な消失電極補償はほとんどない。故に、１０〜４０％のかなりの負荷共有能力が妥当な値であると予想される。２０ｍＡ  ＵＶ−Ｃ  ＬＥＤ電流の場合、約１〜４ｋΩの負荷共有抵抗器値が妥当であるが、値はこの範囲に限られない。
【００７５】
上に論じられるように、局所的な活性電極（即ち第１の電極）の面積が、ＵＶ−Ｃ  ＬＥＤのものと等しいか又はそれに近い値を有する最大電流を可能にするように設計される場合、サブ負荷は、それらの機能的な近隣部に著しい影響を与えることなく短絡を展開することが許される（負荷共有抵抗器あり又はなしで）。結果として、ローカルＤＣ電力源の正及び負の端子の両方が損傷時に露出される場合、電気化学電流の大きさも制限されるが、その場所は損傷の区域に限られる。露出した端子は経時的に溶解するため、電気化学の量もまた、材料溶解により、完全に停止しないとしても経時的に減少する。
【００７６】
例えば、０．１から１００ＭＨｚにわたる駆動周波数では満足な結果が得られる。例えば供給ワイヤ１ｂが切断されると、ＡＣ電気化学が発生し、腐食が生じる。したがって損傷制御が必要とされる。ここで高い発振器周波数（＞約２０ｋＨｚ）の別の利点が存在する。供給ワイヤ１ｂ（電源ワイヤがＡＣ電力を供給し、故にＡＣ電気化学を誘発する。負荷内でＡＣはＤＣに変換され、ＤＣ電気化学が発生するが、局所的にのみである）が、海水に向かって露出される場合、供給ワイヤ及び船体は交互にアノードとカソードとして機能する。高周波数の場合、これは変わりがないが、両方の電極について、電気化学の廃棄物が、各電極において、対称の駆動電圧に対して化学量論量で利用可能である。より重要なことには、気泡の形成速度論に起因して、泡は依然として、極性反転の前は小さいサイズである。故に、自己発火したがって自己消滅が発生する。このプロセスは熱を発生するが、遊離廃棄物の量は劇的に減少する。
【００７７】
提案されたソリューションの別の利点は、電気回路の閉路が、水線より下の十分に導電性の海水又は水線より上の非導電性空気のいずれかと直列にある不活性電極区域によって行われることである。故に、水線より上の負荷は、自己減光する。導電性以外に、水線より上の誘電率及び下の誘電率は、正しい方向に作用する結果として生じる効果とはここでも異なる。したがって、水線より上の負荷は、船体へ向かう結合比及び周囲海水／空気に応じて受動的に減光するようにされて、それによってエネルギーを節約すると同時に水線より上の周囲環境内へ放出されるＵＶ−Ｃの量を低減することができる。必要な場合、活性検出回路を配備することによってＬＥＤを完全にオフにすることさえできる。異なる実施形態は、（例えば、異なる誘電厚、異なる材料、２つのレベルの不活性電極、濡れている又は濡れていない船体に向けた迂回路の穴などを使用して）これを達成するための異なる手段及び方法を説明する。
【００７８】
本発明の１つの態様によると、すべての負荷は、発振器（ＡＣ電力源）と直列で接続され、不活性接地によって終端される。この設定の長所は、不活性電極から接地へ流れるすべての電流が、サブ負荷の集合体も通って流れることである。この設定の効率及び電力伝達は、すべてのサブ負荷によって消費されるエネルギーと不活性接地電極における周囲環境によって（負荷と直列で）散逸されるエネルギーとの比によって決定される。周囲環境が十分に導電性である（低い直列抵抗率）であるとき、電力損失は低く、海水及び船体の場合がこれに当てはまる。これは、船体が厚く、大きな表面積を有し、十分に電気的に十分に導電する鋼でできている一方で、海水の抵抗損失がその比較的高い導電性が理由で小さいためである。実際、船体は、３Ｄ抵抗器の無限の液体アレイ内に浮いている。さらには、接地までのすべての抵抗経路は並列であり、非常に低い実効抵抗をもたらす。とりわけ、この抵抗は、海水が移動又は静止のいずれかにおいて船体の起伏に従うという点、並びにそれが負荷（積み荷／バラスト水又は両方）の変動に起因する水線の違いに適合するという点で自己適合である。したがって、すべての状況下で、提案された電力設備の効率は高く最適である。
【００７９】
船体及び海水の予測される低損失寄与を考えると、したがって、区分化された不活性電極の上の誘電層の誘電特性が最も重要である。この層に関連した損失は、例えばシリコーンが使用されるときは非常に低くなり得る。さらに、シリコーンの使用は、それがＵＶ−Ｃ透過性であり且つ水及び塩を遮るために有益である。
【００８０】
本発明の別の態様は、共通の電力線（即ち、供給ワイヤ１ｂ）の潜在的な切断及びそれに続く海水への露出に関する。そのような切断は下流に接続された負荷を動作不能にするが、海水内へ廃棄される電力の量及びそのような破棄が発生する時間を最小限にすることができる。これは、その物理的寸法並びに露出に対する浸食の割合を最適化することに関して行われ得る。したがって、共通の電力線は、好ましくは、それを厚い丸ワイヤとして実行するのではなく、薄く幅広のストリップとして実行される。加えて、容易に切断及び断裂することができる金、銀、銅、及びアルミニウムなどの延性材料が使用される。これらの材料のうち、アルミニウムは酸性環境及び塩基環境の両方において溶解するため、アルミニウムが最も好ましい材料である。したがって、電気化学が発生すると、アルミニウムは、大半の他の材料よりもはるかに早く溶解するが、それは依然として良好な導電体である。加えて、塩素ガス及びイオンは両方とも、すでに元々アルミニウムの溶解を加速する。故に、露出したストリップ又は断面の表面積は、素早く減少し、それにより周囲海水に向けて廃棄される電力の量が素早く減少する。
【００８１】
さらに、アルミニウムは、低い融点を有し、１つ又は複数のヒューズの電力線自体への統合を可能にする。有益に、アルミニウムは、ＵＶ−Ｃの非常に良好な反射体でもある。したがって、電力線及び不活性電極の両方は、好ましくは、（シート）アルミニウム内で実行される。さらに、アルミニウムは、はんだを必要とすることなく電子部品の（ワイヤ）結合を可能にし、それはレーザ溶接され得る。故に、区分化された不活性電極も有する、すべての電子部品のＵＶ−Ｃ  ＬＥＤストリップへの完全な統合が可能である。加えて、ＬＥＤストリップを、曲面及び起伏表面に容易に接着することができ、長い長さで作ることができる。したがって、ＬＥＤストリップ又はＬＥＤステッカーが、一実施形態において使用される。さらに、ステッカー担体の厚さは、広い面積及び長さにわたって容易に制御することができ、したがって、船体に対する容量はさほど苦労せずに設定することができる（担体の上に直接パターン化される電極３及び７の面積）。
【００８２】
ＬＥＤストリップ又はＬＥＤステッカーが単一の電源ワイヤのみを有して使用される場合、残りの防汚タイル（即ち負荷設備の）は、ＬＥＤストリップに光結合されたＵＶ−Ｃ光ガイドのみを備える「不活性」タイル面を備える。これは、タイルの上のスナップ（光ガイドはＬＥＤストリップの上を通る）であり得るか、又は隣接するＬＥＤストリップ間の間隙を埋める導光材料のスラブであり得るか、又はＬＥＤストリップ間の間隙を埋める複数のより小さいタイルを含む。長所は、光ガイドを寸法に合わせて切断して、ＬＥＤストリップを損傷することなく間隙を埋めることができることである。導光部材とＬＥＤストリップとの光結合は、空気、（海）水、又はシリコーンとして実行することができる。
【００８３】
一般的に、接続ワイヤ１ｃは、第２の電極７に直接（ガルバニック）接続されるか、又は接続ワイヤ１ｃと第２の電極７との接続が水を介して行われるように水中で終了し、これは負荷設備のステッカータイプのソリューションの使用の場合に特に有用である。これらの異なるソリューションは、接続ワイヤ３の終点と第２の電極７との間の点線（特に図８及び図９において）によって示されるものとする。さらに、第２の電極７は、好ましくは、負荷２に直接接続され、即ち、負荷端子２ｂと第２の電極７との間には概して（長い）接続は存在しない。
【００８４】
以下において、さらなる実施形態が説明される。
【００８５】
図１３は、図１０及び図１１に描写される第６の実施形態に類似する、防汚用途シナリオにおける、本発明に従う電力設備１０６の実用的な実装の側面図（図１３Ａ）及び上面図（図１３Ｂ）を示す。この実施形態では、１つ又は複数の誘電（接着）基板４０（その部分は誘電層４を表す）の上に担持される単一の薄く幅広の導電性電源ワイヤ３（第１の電極を表す）が提供され、単一の供給ワイヤ３（直接又は外部部材１１（海水）によってＡＣ端子１ｂに接続されている）が好ましくは、シートアルミニウム内で実行され、高周波ＡＣ発振器（図示されない）によって電圧調節されている。単一の供給ワイヤ３は、例えば図９又は図１２に示されるようにＧｒａｅｔｚブリッジ２３及びＬＥＤ２４の形態で実行されるローカルＤＣ電力源を含む、並列に接続された複数の負荷２５ａ、２５ｂ、２５ｃにガルバニック接続される。各負荷２５ａ、２５ｂ、２５ｃは、限流不活性接地電極７ａ、７ｂ、７ｃによって終端される。
【００８６】
全負荷２５ａ、２５ｂ、２５ｃのＧｒａｅｔｚブリッジ２３にわたって、（ＵＶ−Ｃ）ＬＥＤ、ＩＣ、並びに／又は他の電子回路及びモジュールなど、１つ又は複数の電子部品が接続されていてもよい。好ましくは、アセンブリ全体が、例えばシリコーン製の、ＵＶ−Ｃ透過性で水及び塩不浸透性の筺体４１で囲まれている。
【００８７】
供給ワイヤ３（第１の電極を表す）は、１つ又は複数の統合ヒューズ２６（例えば、シートアルミニウム内に実行される）、及び電源ワイヤの防水性絶縁アタッチメントを備える。ヒューズは、ワイヤ損傷の場合に備えて安全性を提供する。これは、防汚用途シナリオにおける、本発明に従う電力設備１０７の別の実用的な実装の上面図を示す図１４に例証される。
【００８８】
別の実施形態において、不活性電極区域７ａ、７ｂ、７ｃもシートアルミニウム内で実行される。さらに、不活性電極区域は、周囲環境の電気特性及び誘電特性に応じて複数の容量値を取得することができるように実行される。例えば、不活性電極の上側及び下側における誘電の異なる厚さ、又は２つの異なる誘電材料（例えば、一方は十分に接着し、他方はより良好なＵＶ透過性を有する）、又は海水で濡らされ得る穴の形態にある上部の局所的に薄くされた誘電材料が配備される。別の例は、２つ以上の接続されたサブ部分に分かれた不活性電極であり、１つ又は複数の部分が、担体基板に近い他の部分と比較したとき面が高くなっている。さらに、上記のこれらの選択肢の逆が使用されてもよい。さらに別の実施形態は、膨張式若しくは波打ち不活性電極、又は不活性電極の下若しくは上に空洞を含み、局所的な高さ及び／又は誘電材料調整を可能にする。これらは、周囲環境の誘電特性及び電気特性に応じて局所的なＬＥＤを自動減光することを目的に、不活性接地電極の上半分及び下半分の個別の寄与を調整するために使用することができる選択肢の単なる例である。
【００８９】
依然として別の実施形態において、ＬＥＤストリップ２５ａ、２５ｂは、例えば、図１５に例証されるようなロール２７ａ、タイル２７ｂ、又は任意の他の形状の拡張可能であるが不活性のＵＶ−Ｃ光ガイドとして実行される追加光ガイドによって光学的に拡張可能である。そのようなタイルは、衝撃時に損傷及び／又は損失され得、必要に応じて交換され得る。
【００９０】
船体の外部表面での使用以外の他の用途としては、桟橋、橋の杭、又は風力発電所などの水中の建築物が挙げられる。
【００９１】
本発明は、図面及び前述の説明において詳細に例証及び説明されているが、そのような例証及び説明は、例証的又は例示的であり限定的ではないと見なされるものとし、本発明は、開示された実施形態に限定されない。開示された実施形態に対する他の変形形態は、図面、本開示、及び添付の特許請求の範囲の研究により、特許請求された発明の実践において当業者によって理解され行われ得る。
【００９２】
特許請求の範囲において、「備える（ｃｏｍｐｒｉｓｉｎｇ）」という用語は、他の要素又はステップを除外するものではなく、不定冠詞「ａ」又は「ａｎ」は、複数を除外するものではない。単一の要素又は他のユニットが、特許請求項に列挙されたいくつかの項目の機能を満たしてもよい。特定の手法が相互に異なる従属請求項内に列挙されるということだけでは、これらの手法の組み合わせを有利に使用することができないということを示さない。
【００９３】
特許請求項内のいかなる参照記号も、範囲を制限するものとして解釈されるべきではない。
【００９４】
以下にさらなる実施形態及び態様が続く。
【００９５】
Ｃ１．
表面（５０）と、
ＡＣ電力源（１）によって電力供給されるための第１の負荷端子（２ａ）及び第２の負荷端子（２ｂ）を有する負荷（２、２０、２１、２２、２５）であって、前記ＡＣ電力源（１）が表面（５０）及び第２のＡＣ端子（１ｂ）に電気的に接続可能な第１のＡＣ端子（１ａ）を有する、負荷（２、２０、２１、２２、２５）と、
第１の負荷端子（２ａ）に電気的に接続された第１の電極（３）と、
誘電層（４）と、を備え、
第１の電極（３）及び誘電層（４）が、表面（５０）と組み合わせて、第１の電極（３）と表面（５０）との間の電力の容量性伝送のためのコンデンサ（６）を形成するように配置され、
第２のＡＣ端子（１ｂ）及び第２の負荷端子（２ｂ）が、表面（５０）から絶縁された第２の外部導電性要素（１０、１１）に電気的に接続されるように配置され、
第１の負荷端子（２ａ）が、第２の負荷端子（２ｂ）から電気的に絶縁される、海洋構造物。
【００９６】
Ｃ２．
表面（５０）が外部表面である、実施形態Ｃ１に規定される海洋構造物。
【００９７】
Ｃ３．
表面（５０）が船体の少なくとも部分である、実施形態Ｃ２に規定される海洋構造物。
【００９８】
Ｃ４．
前記負荷に電力供給するためのＡＣ電力源（１）をさらに備える、実施形態Ｃ１に規定される海洋構造物。
【００９９】
Ｃ５．
負荷（２）、第１の電極（３）、及び誘電層（４）を担持し、船体（５０）において配置されるように構成されている担体（８０）をさらに備える、実施形態Ｃ１に規定される海洋構造物。
【０１００】
Ｃ６．
負荷（２）に電気的に接続され、ＡＣ電力源（１）に電気的に接続されるように配置されている第２の電極（７）をさらに備える、実施形態Ｃ１に規定される海洋構造物。
【０１０１】
Ｃ７．
負荷（２）が、水、特に海水である第２の外部導電性要素（１０、１１）に電気的に接続されるように配置される、実施形態Ｃ１に規定される海洋構造物。
【０１０２】
Ｃ８．
第２の外部要素（１０、１１）及び負荷端子（２）内に配置されるか、又はそれらに付着される導電性電流誘導部材（１２）をさらに備える、実施形態Ｃ１に規定される海洋構造物。
【０１０３】
Ｃ９．
第２の外部要素（１０）内に配置されるか、又はそれに付着されるＤＣ電力線（１ｄ）をさらに備える、実施形態Ｃ１に規定される海洋構造物。
【０１０４】
Ｃ１０．
負荷（２、２０、２１、２２）、第１の電極（３）、及び誘電層（４）を収容するハウジング（８）をさらに備える、実施形態Ｃ１に規定される海洋構造物。
【０１０５】
Ｃ１１．
複数の負荷（２５ａ、２５ｂ、２５ｃ）を備え、それらの第１の負荷端子が、共通の第１の電極（３）又は別個の第１の電極（３ａ、３ｂ、３ｃ）に並列に結合され、それらの第２の負荷端子が、共通の第２の電極（７）、別個の第２の電極（７ａ、７ｂ、７ｃ）、又は第２の外部要素（１０、１１）に並列に結合される、実施形態Ｃ１に規定される海洋構造物。
【０１０６】
Ｃ１２．
負荷（２０、２１、２２）が、光源、特にＬＥＤ又はＵＶ−ＬＥＤを備える、実施形態Ｃ１に規定される海洋構造物。
【０１０７】
Ｃ１３．
負荷（２２）が、ダイオードブリッジ回路（２３）を備え、光源（２４）が、ダイオードブリッジ回路（２３）の中間点（２３ａ、２３ｂ）の間に結合される、実施形態Ｃ１２に規定される海洋構造物。
【０１０８】
Ｃ１４．
負荷（２１）が、互いに逆並列に結合された第１のＬＥＤ（２１ａ）及び第２のＬＥＤ（２１ｂ）を備える、実施形態Ｃ１に規定される海洋構造物。
【０１０９】
Ｃ１５．
船体（５０）が複数の担体（８０）によって被覆され、複数のＡＣ電力源（１）が提供され、その各々が２つ以上の担体（３）の負荷に電力を供給するように構成されている、実施形態Ｃ５に規定される海洋構造物。
【０１１０】
Ａ１．
電力設備内での使用のため、及び第１の外部導電性要素（５、５０）における配置のための負荷設備であって、前記負荷設備が、
ＡＣ電力源（１）によって電力供給されるための第１の負荷端子（２ａ）及び第２の負荷端子（２ｂ）を有する負荷（２、２０、２１、２２、２５）と、
第１の負荷端子（２ａ）に電気的に接続された第１の電極（３）と、
誘電層（４）と、を備え、
第１の電極（３）及び誘電層（４）が、第１の外部導電性要素（５、５０）と組み合わせて、第１の電極（３）と第１の外部要素（５、５０）との間の電力の容量性伝送のためのコンデンサ（６）を形成するように配置され、
コンデンサ（６）及び第２の負荷端子（２ｂ）のうちの少なくとも１つが、水（１０、１１）を通した電力伝送のために配置されて、ＡＣ電力源（１）とコンデンサ及び第２の負荷端子（２ｂ）のそれぞれとの間に水（１０、１１）を介した電気路を形成し、
第１の負荷端子（２ａ）が、第２の負荷端子（２ｂ）から電気的に絶縁される、負荷設備。
【０１１１】
Ａ２．
第１の外部導電性要素（５、５０）が、水、特に海水、環境物、特に建築物又は乗物の一部分、及びインフラ物を含む導電性要素の群から選択される、実施形態Ａ１に規定される負荷設備。
【０１１２】
Ａ３．
第１の外部導電性要素（５、５０）が海洋構造物であり、
第２の負荷端子（２ｂ）が、ＡＣ電力源（１）と第２の負荷端子（２ｂ）との間に水（１０、１１）を介した電気路を形成するために水（１０、１１）への電気接続を有し、
ＡＣ電力源（１）が、海洋構造物（５）に付着され、ＡＣ電力源（１）が、ＡＣ電力源（１）と第２の負荷端子（２ｂ）との間に水（１０、１１）を介した電気路を達成するために水（１０、１１）への電気接続を有する、実施形態Ａ１に規定される負荷設備。
【０１１３】
Ａ４．
第２の負荷端子（２ｂ）及びＡＣ電力源（１）が、水（１０、１１）への容量電気接続を有する、実施形態Ａ３に規定される負荷設備。
【０１１４】
Ａ５．
第２の負荷端子（２ｂ）及びＡＣ電力源（１）が、水（１０、１１）への抵抗電気接続を有する、実施形態Ａ３に規定される負荷設備。
【０１１５】
Ａ６．
第１の外部導電性要素（５、５０）が水であり、
コンデンサが、水（１０、１１）を通した電力伝送のために配置されて、ＡＣ電力源（１）とコンデンサとの間に水（１０、１１）を介した電気路を形成する、実施形態Ａ１に規定される負荷設備。
【０１１６】
Ａ７．
第２の外部要素（１０、１１）及び負荷（２）内に配置されるか、又はそれらに付着されるための、及び負荷設備の導電路内の抵抗を下げるための導電性電流誘導部材（１２）をさらに備える、実施形態Ａ１に規定される負荷設備。
【０１１７】
Ａ８．
誘導部材（１２）が、前記水（１０、１１）中に配置されるように、及び／又は負荷設備に付着されるように構成される、実施形態Ａ７に規定される負荷設備。
【０１１８】
Ａ９．
複数の負荷（２５ａ、２５ｂ、２５ｃ）を備え、それらの第１の負荷端子が、共通の第１の電極（３）又は別個の第１の電極（３ａ、３ｂ、３ｃ）に並列に結合され、それらの第２の負荷端子が、共通の第２の電極（７）、別個の第２の電極（７ａ、７ｂ、７ｃ）、又は前記水（１０、１１）に並列に結合される、実施形態Ａ１に規定される負荷設備。
【０１１９】
Ａ１０．
第１の外部要素（５）が船体である、実施形態Ａ３に規定される負荷設備。
【０１２０】
Ａ１１．
第１の外部要素（５）が、非導電性海洋構造物に埋め込まれるか、又は接続される電極である、実施形態Ａ３に規定される負荷設備。
【０１２１】
Ａ１２．
負荷（２０、２１、２２）が、光源、特にＬＥＤ若しくはＵＶ−ＬＥＤを備えるか、又は互いに逆並列に結合された第１のＬＥＤ（２１ａ）及び第２のＬＥＤ（２１ｂ）を含む、実施形態Ａ１に規定される負荷設備。
【０１２２】
Ａ１３．
負荷（２２）が、ダイオードブリッジ回路（２３）を備え、光源（２４）が、ダイオードブリッジ回路（２３）の中間点（２３ａ、２３ｂ）の間に結合される、実施形態Ａ１に規定される負荷設備。
【０１２３】
Ａ１４．
負荷に電力供給するための電力設備であって、前記電力設備は、
ＡＣ電力源（１）と、
実施形態Ａ１からＡ１３のいずれか１つに規定される負荷設備とを備える、電力設備。
【０１２４】
Ａ１５．
実施形態Ａ１からＡ１３のいずれか１つに規定される負荷設備と、
強制通電カソード防食（ＩＣＣＰ）システムと、
前記負荷設備及び前記ＩＣＣＰシステムを組み合わせて作動するように制御するための制御ユニットと、を備えるシステム。
【０１２５】
Ａ１６．
実施形態Ａ１からＡ１３のいずれか１つに記載される負荷設備を含む外表面を有する海洋構造物であって、負荷設備は前記外表面に付着される、海洋構造物。
【０１２６】
Ａ１７．
実施形態Ａ１からＡ１３のいずれか１つに規定される負荷設備を海洋構造物の外表面に据付けるための方法。
【０１２７】
Ａ１８．
特に外表面の生物付着に対抗するために、海洋構造物の外表面への据付けのための実施形態Ａ１からＡ１３のいずれか１つに規定される負荷設備の使用。
【図１】
2019508875.tif 000003
【図２】
2019508875.tif 000004
【図３】
2019508875.tif 000005
【図４】
2019508875.tif 000006
【図５】
2019508875.tif 000007
【図６】
2019508875.tif 000008
【図７】
2019508875.tif 000009
【図８】
2019508875.tif 000010
【図９】
2019508875.tif 000011
【図１０】
2019508875.tif 000012
【図１１】
2019508875.tif 000013
【図１２Ａ】
2019508875.tif 000014
【図１２Ｂ】
2019508875.tif 000015
【図１３Ａ】
2019508875.tif 000016
【図１３Ｂ】
2019508875.tif 000017
【図１４】
2019508875.tif 000018
【図１５】
2019508875.tif 000019
【手続補正書】
【提出日】平成31年1月31日(2019.1.31)
【手続補正１】
【補正対象書類名】特許請求の範囲
【補正対象項目名】全文
【補正方法】変更
【補正の内容】
【特許請求の範囲】
【請求項１】
電力設備での使用のため、第１の外部導電性要素に配置され、ＡＣ電力源に接続されるための負荷設備であって、
光源、センサ、及び／又は電子回路を備える負荷と、
前記負荷に電気的に接続された第１の電極と、
誘電層と、
前記負荷、前記第１の電極、及び前記誘電層を担持する担体とを備える、負荷設備において、
前記負荷、前記第１の電極、及び前記誘電層が、前記第１の外部導電性要素において配置される構造体を形成し、
前記第１の電極及び前記誘電層が、海洋構造物の外表面を表す第１の外部導電性要素と組み合わせて、前記第１の電極と前記第１の外部導電性要素との間の電力の容量性伝送のためのコンデンサを形成し、
前記担体が、前記第１の外部導電性要素において配置され、前記負荷が、前記第１の電極から電気的に絶縁された第２の電極に接続されるか、又は前記第１の電極から電気的に絶縁された第２の外部導電性要素に電気的に接続されていることを特徴とする、負荷設備。
【請求項２】
前記担体は、可撓性材料からできている、請求項１に記載の負荷設備。
【請求項３】
前記担体は、前記担体の少なくとも１つの表面が接着剤で被覆されるシート形態である、請求項２に記載の負荷設備。
【請求項４】
前記接着剤で被覆された前記表面に取り外し可能に付着されるフィルムをさらに備える、請求項３に記載の負荷設備。
【請求項５】
前記担体のサイズ及び／又は形態は、適用の区域の形態及び／又はサイズに合わせて出来ている、請求項２に記載の負荷設備。
【請求項６】
前記接着剤で被覆された前記担体の表面の反対側の前記負荷設備の外表面及び／又は前記担体の表面が、特に、これら表面のうちの１つの表面上にディザリング表面又は光ガイドを受容するため、接着剤で被覆されている、請求項３に記載の負荷設備。
【請求項７】
前記担体は、前記負荷設備の据付けのための、特に据付け位置、据付け方向、及び／若しくは重複の可能性を示すための指標、並びに／又は前記担体をどこで切断すべきかを示す指標を含む、請求項２に記載の負荷設備。
【請求項８】
前記負荷に電気的に接続され、且つ、ＡＣ電力源に電気的に接続される第２の電極をさらに備える、請求項１に記載の負荷設備。
【請求項９】
前記第２の外部導電性要素及び前記負荷内に配置されるか又は付着される導電性電流誘導部材をさらに備える、請求項１に記載の負荷設備。
【請求項１０】
前記第２の外部導電性要素内に配置されるか又は付着されるＤＣ電力線をさらに備える、請求項１に記載の負荷設備。
【請求項１１】
ＡＣ電力源と、
請求項１乃至１０の何れか一項に記載の負荷設備とを備える、負荷に給電するための電力設備。
【請求項１２】
請求項１乃至１０の何れか一項に記載の負荷設備を備える、外表面を有する海洋構造物であって、前記負荷設備は前記外表面に付着されている、海洋構造物。
【請求項１３】
特に外表面の生物付着に対抗するために、海洋構造物の外表面への据付けのための、請求項１乃至１０の何れか一項に記載の負荷設備の使用。
【国際調査報告】
2019508875.tif 000020
2019508875.tif 000021
2019508875.tif 000022